(57)【要約】【課題】複写機、プリンタ、ファクシミリ、またはそれらの複合機等の電子写真プロセスを用いた画像形成装置において、シールドボックスの変形や落下などが生じても、支持台に引っかかることなくシールドボックスのスムースな開閉が可能な装置を提供する。【解決手段】画像形成装置本体１において電波遮蔽のため、基板３を金属製のシールドボックス２に収納する。シールドボックス２の回転時の自由端側の下部の角部が斜めになる斜面形状６に形成してあり、斜面をなしている。そのため、シールドボックス２を開いた際の重み等の理由によってシールドボックス２がたとえ落下しても、支持台５に引っかかることなくシールドボックス２のスムースな開閉が可能になる。【選択図】図４
2010008640.tif 000002
【特許請求の範囲】
【請求項１】
基板が収納されたシールドボックスと、該シールドボックスを上側に保持する支持台を画像形成装置本体側に有する画像形成装置において、
前記シールドボックスを開閉回動可能に支持するとともに、前記シールドボックス下部の角部が斜め形状をなすようにしてなることを特徴とする画像形成装置。
【請求項２】
請求項１記載の画像形成装置において、
前記斜め形状について、垂直方向の長さよりも水平方向の長さを長くしてなることを特徴とする画像形成装置。
【請求項３】
請求項１または２記載の画像形成装置において、
前記画像形成装置本体側から前記シールドボックスの回転支点までの距離よりも、前記シールドボックスから前記回転支点までの距離を短くしてなることを特徴とする画像形成装置。
【請求項４】
請求項３記載の画像形成装置において、
前記回転支点を、前記シールドボックスの中央から前記画像形成装置外側方向に配置してなることを特徴とする画像形成装置。
【請求項５】
請求項３または４記載の画像形成装置において、
前記基板から前記画像形成装置本体側へ配線されるハーネスについて、前記シールドボックスからの出入り口を前記回転支点の近傍に設けてなることを特徴とする画像形成装置。
【請求項６】
請求項３ないし５のいずれかに記載の画像形成装置において、
前記基板から前記画像形成装置本体側へ配線されるハーネスについて、前記シールドボックスからの出入り口を２個以上に分散させてなることを特徴とする画像形成装置。
【請求項７】
請求項３ないし６のいずれかに記載の画像形成装置において、
前記基板から前記画像形成装置本体側へ配線されるハーネスについて、前記シールドボックスからの出入り口を、前記回転支点の軸に対して前記斜め形状部側に設置してなることを特徴とする画像形成装置。
【請求項８】
請求項３ないし７のいずれかに記載の画像形成装置において、
前記シールドボックスの前記回転支点とは反対側の横側面の角部を斜め形状としてなることを特徴とする画像形成装置。
【請求項９】
請求項１ないし８のいずれかに記載の画像形成装置において、
前記シールドボックス内部の空気を排気する冷却ファンを備え、該冷却ファンから前記画像形成装置外部への流路を形成するダクトを、前記画像形成装置本体側に設けた他のダクトと一体形成してなることを特徴とする画像形成装置。
【発明の詳細な説明】
【技術分野】
【０００１】
本発明は、複写機、プリンタ、ファクシミリ、またはそれらの複合機等の電子写真プロセスを用いた画像形成装置に関するものである。
【背景技術】
【０００２】
この種の画像形成装置においては、電波遮蔽のため、基板を金属製のシールドボックスに収納することがあるが、その際、シールドボックスは、その奥に配置されるモータ等のデバイスのサービスアクセス性確保のため、回転支点を中心として開閉するように軸で支持する構造とすることが多い。
【０００３】
ところが、シールドボックスは、それ自身が金属製のボックスであり、また内部に複数枚の基板を収納するため、それ自身の重量は大きくなる。そのため画像形成装置本体側に板金フレーム等による支持台を設けることになるが、シールドボックスを開いた際に自身の重量による変形や、部品バラツキに起因する落下が発生してしまうことがあり、それにより、たとえ修復しても、閉じる際にシールドボックスが画像形成装置本体側の支持台に当たってしまうなどの不具合が発生しやすく、サービス性の悪化を招いていた。
【０００４】
【特許文献１】特開２００３−３２４２９０号公報
【特許文献２】特開２００５−２１５１９９号公報
【特許文献３】特開２００７−９５９６７号公報
【発明の開示】
【発明が解決しようとする課題】
【０００５】
本発明では、アプライアンス性の高い、すなわちシールドボックスの開閉性の良さと言う特定の機能に特化したシールドボックス構造を有する画像形成装置提供することを目的とする。
【課題を解決するための手段】
【０００６】
本発明の画像形成装置のうち請求項１に係るものは、基板が収納されたシールドボックスと、該シールドボックスを上側に保持する支持台を画像形成装置本体側に有する画像形成装置において、前記シールドボックスを開閉回動可能に支持するとともに、前記シールドボックス下部の角部が斜め形状をなすようにしてなることを特徴とする。
【０００７】
同請求項２に係るものは、請求項１記載の画像形成装置において、前記斜め形状について、垂直方向の長さよりも水平方向の長さを長くしてなることを特徴とする。
【０００８】
同請求項３に係るものは、請求項１または２記載の画像形成装置において、前記画像形成装置本体側から前記シールドボックスの回転支点までの距離よりも、前記シールドボックスから前記回転支点までの距離を短くしてなることを特徴とする。
【０００９】
同請求項４に係るものは、請求項３記載の画像形成装置において、前記回転支点を、前記シールドボックスの中央から前記画像形成装置外側方向に配置してなることを特徴とする。
【００１０】
同請求項５に係るものは、請求項３または４記載の画像形成装置において、前記基板から前記画像形成装置本体側へ配線されるハーネスについて、前記シールドボックスからの出入り口を前記回転支点の近傍に設けてなることを特徴とする。
【００１１】
同請求項６に係るものは、請求項３ないし５のいずれかに記載の画像形成装置において、前記基板から前記画像形成装置本体側へ配線されるハーネスについて、前記シールドボックスからの出入り口を２個以上に分散させてなることを特徴とする。
【００１２】
同請求項７に係るものは、請求項３ないし６のいずれかに記載の画像形成装置において、前記基板から前記画像形成装置本体側へ配線されるハーネスについて、前記シールドボックスからの出入り口を、前記回転支点の軸に対して前記斜め形状部側に設置してなることを特徴とする。
【００１３】
同請求項８に係るものは、請求項３ないし７のいずれかに記載の画像形成装置において、前記シールドボックスの前記回転支点とは反対側の横側面の角部を斜め形状としてなることを特徴とする。
【００１４】
同請求項９に係るものは、請求項１ないし８のいずれかに記載の画像形成装置において、前記シールドボックス内部の空気を排気する冷却ファンを備え、該冷却ファンから前記画像形成装置外部への流路を形成するダクトを、前記画像形成装置本体側に設けた他のダクトと一体形成してなることを特徴とする。
【発明の効果】
【００１５】
本発明によれば、シールドボックス下部の角部が斜め形状になっているので、シールドボックスを開いた際の重みやバラツキによりシールドボックスの変形や落下などが生じても、支持台に引っかかることなくシールドボックスのスムースな開閉が可能になる。
【発明を実施するための最良の形態】
【００１６】
以下本発明を実施するための最良の形態を、図に示す実施例を参照して説明する。
【実施例１】
【００１７】
図１は画像形成装置本体１の外装後カバーを取り除いた図であり、図２は、図１の画像形成装置本体１に対してシールドボックス２の背面カバーを取り除いた図であり、図３はシールドボックス２を開いた状態の図である。
【００１８】
既に述べたように、画像形成装置本体１において電波遮蔽のため、基板３を金属製のシールドボックス２に収納するが、その際シールドボックス２は、その奥に配置されるモータ等のデバイスのサービスアクセス性確保のため回転支点中心として開閉する構造とすることが多く、シールドボックス２自身が金属製のボックスで、内部に複数枚の基板３を収納するため、その重量が大きくなり、それに対処するために画像形成装置本体１側に板金フレーム等による支持台５を設けることになるが、シールドボックス２を開いた際に自身の重量による変形、特に開閉時の自由端側が下方へ落ちる変形や、部品バラツキによってシールボックス２が落下する事態が発生してしまい、それにより、閉じる際にシールドボックス２が画像形成装置本体１側の支持台５に当たってしまうなどのサービス性の悪化を招いている。
【００１９】
この問題に対応した本発明の実施例１について図４を用いて説明する。図４は、シールドボックス２を画像形成装置本体１（図示は省略してある）の側面側から見て示す図である。
この実施例１の画像形成装置本体１は、シールドボックス２の回転時の自由端側の下部の角部（図の矢印Ｂ部：図４（Ｂ）に拡大して示す）が斜めになる斜面形状６に形成してあり、斜面をなしているので、シールドボックス２を開いた際の重み等の理由によってシールドボックス２がたとえ落下しても、支持台５に引っかかることなくシールドボックス２のスムースな開閉が可能になる。
【００２０】
また、斜面形状６については、図４（Ｂ）に示すように、垂直方向の長さＬ１よりも水平方向の長さＬ２が長いので、シールドボックス２の開閉時の抵抗力を、よりいっそう抑えることが可能になっている。
【００２１】
また本実施例では、図５、図６に示すように、シールドボックス２を支持しているアーム１０の画像形成装置本体１の一方の側面部１ａへの取り付け部分１ｂからシールドボックス２の支持軸（図示は省略してある）の回転軸（支持の方法によっては回転支点）７までの距離Ｌ３よりも、シールドボックス２から回転軸７までの距離Ｌ４の方を短くしたことによって、シールドボックス２側に掛かる曲げモーメントを小さくすることができ（換言すれば、シールドボックス２開閉時の抵抗力をより抑えることが可能になり）、シールドボックス２の開閉時に、強度的に弱いシールドボックス２側の変形を抑えることができる。なお図６（Ｂ）、（Ｃ）は、図６（Ａ）の矢印Ｂ，Ｃ部分を示す。
【実施例２】
【００２２】
図７、８は本発明の実施例２を示す図である。
本実施例の画像形成装置では、シールドボックス２の回転軸７を、シールドボックス２の平面横方向のセンターライン８から画像形成装置本体１の外側方向に配置し、シールドボックス２の開閉角度θ１を大きく取ることができ、サービスアクセス性を向上させることができるようにしてある。
【実施例３】
【００２３】
図９は本発明の実施例３を示す図である。なお図９（Ｂ）、（Ｃ）は、図９（Ａ）の矢印Ｂ，Ｃ部分を示す。
本実施例の画像形成装置では、基板３から画像形成装置本体１側へ配線されるハーネス（図示を省略してあるが、図９（Ｃ）のようにシールドボックス２に対して出入りする。）について、シールドボックス２からの出入り口９を回転軸７の近傍に設けている。そのため、シールドボックス２の開閉時に、ハーネスが回転軸７を中心に回転することになり、ハーネスのコシや引っ張りによる抵抗力を抑えることができる。
【００２４】
また、基板３から画像形成装置本体１の一方の側面部１ａ側へ配線されるハーネスについて、シールドボックス２からの出入り口９を２個以上に分散させているので、シールドボックス２の開閉時に、ハーネスのコシや引張りによる抵抗力を抑えることができる。
【００２５】
さらに、シールドボックス２からの出入り口９を、図示のように回転軸７に対して斜めに設けているので、これによっても、シールドボックス２の開閉時に、ハーネスのコシや引張りによる抵抗力を抑えることができるようになっている。
【実施例４】
【００２６】
図１０は本発明の実施例４を示す図である。なお図１０（Ｂ）は、図１０（Ａ）の矢印Ｂ部分を示す。
本実施例の画像形成装置では、シールドボックス２内部の空気を排気する冷却ファン２０を設置し、冷却ファン２０から画像形成装置本体１の外部への流路を形成するダクト２１を、画像形成装置本体１側に設けられた他のダクト２２と一体形成しているので、シールドボックス２の冷却用に別途ダクトを設置する必要が無く、部品削減することができるようにしてある。
【００２７】
また、既に述べたように、シールドボックス２を閉める時に、シールドボックス２の角部の斜面形状６によって支持台５に乗り上げる構造としているため、シールドボックス２を開けた際にダクト２１とシールドボックス２が衝突することが無いように大きなギャップを取ったとしても、シールドボックス２を閉めた状態ではシールボックス２とダクト２１とのギャップを小さくすることが可能となっている。
【実施例５】
【００２８】
図１１は本発明の実施例５を示す図である。
本実施例の画像形成装置では、シールドボックス２の回転軸７とは反対側の横側面の角部２３（図１１（Ｂ）参照：図１１（Ａ）の矢印Ｂ部分）を斜めにカットして斜面形状にしているので、設置時にシールドボックス２に変形が生じていても、その上下方向の位置のバラツキだけではなく、左右方向の位置のバラツキによる影響をも抑えることができるようになっている。
【図面の簡単な説明】
【００２９】
【図１】画像形成装置本体の外装後カバーを取り除いた図
【図２】図１の画像形成装置本体に対してシールドボックスの背面カバーを取り除いた図
【図３】シールドボックスを開いた状態の図
【図４】本発明の実施例１について、シールドボックスを画像形成装置本体の側面側から見て示す図
【図５】図２に対応する状態の背面図
【図６】シールドボックスを支持しているアーム近傍を示す図
【図７】本発明の実施例２を示すシールドボックスの平面図
【図８】同画像形成装置本体に対してシールドボックスを取り付け、かつ開いた上体の平面図
【図９】本発明の実施例３を示す背面図
【図１０】本発明の実施例４を示す背面図
【図１１】本発明の実施例５を示すシールドボックスの平面図
【符号の説明】
【００３０】
１：画像形成装置本体
１ａ：画像形成装置本体の一方の側面部
１ｂ：同取り付け部分
２：シールドボックス
３：基板
５：支持台
６：斜面形状
７：回転軸（あるいは回転支点）
８：センターライン
９：出入り口
１０：アーム
２０：冷却ファン
２１、２２：ダクト
２１：シールドボックスの回転軸とは反対側の横側面の角部
Ｌ１：斜面形状の垂直方向の長さ
Ｌ２：同水平方向の長さ
Ｌ３：シールドボックスの支持軸の回転軸までの距離
Ｌ４：回転軸までの距離
θ１：シールドボックスの開閉角度
【図１】
2010008640.tif 000003
【図２】
2010008640.tif 000004
【図３】
2010008640.tif 000005
【図４】
2010008640.tif 000006
【図５】
2010008640.tif 000007
【図６】
2010008640.tif 000008
【図７】
2010008640.tif 000009
【図８】
2010008640.tif 000010
【図９】
2010008640.tif 000011
【図１０】
2010008640.tif 000012
【図１１】
2010008640.tif 000013